(57)【特許請求の範囲】
【請求項１】
それぞれがノズルを挿脱可能に収納する複数のノズル収納部を円周状に配列して構成されたノズル収納ユニットを、複数配列したストッカー本体と、
前記ノズル収納ユニット毎にそれぞれ設けられて、それぞれが対応する前記ノズル収納ユニットの前記各ノズル収納部に対して前記ノズルの挿脱を一括して規制する挿脱規制状態および前記ノズルの挿脱を一括して許可する挿脱許可状態のいずれかを選択的に取る複数の規制部材と、
前記各規制部材を伴って移動することで、前記挿脱規制状態および前記挿脱許可状態のいずれかに前記各規制部材の状態を一括して切り換える切換部材と、
前記切換部材を駆動する駆動機構と
を備えたノズル交換用収納機。
【請求項２】
前記規制部材は、対応する前記ノズル収納ユニットにおける前記複数のノズル収納部の配列中心周りで、前記切換部材の移動に伴って回動することで、前記挿脱規制状態と前記挿脱許可状態との間で切り換わる請求項１に記載のノズル交換用収納機。
【請求項３】
前記規制部材は、前記複数のノズル収納部に対応して設けられて前記配列中心周りに円周状に配列された複数の突起部を有し、
前記複数の突起部それぞれは、前記規制部材の回動に伴って、対応する前記ノズル収納部に対する前記ノズルの挿脱経路に突出する挿脱規制位置および前記挿脱経路から外れる挿脱許可位置のいずれかに位置し、
前記規制部材は、一方側に回動することで前記複数の突起部を一括して前記挿脱規制位置に位置決めする前記挿脱規制状態を取り、前記一方側の逆の他方側に回動することで前記複数の突起部を一括して前記挿脱許可位置に位置決めする前記挿脱許可状態を取る請求項２に記載のノズル交換用収納機。
【請求項４】
前記ストッカー本体、前記規制部材および前記切換部材で構成されるノズルストッカーを、上昇位置と下降位置との間で昇降させる昇降機構と、
前記上昇位置にある前記ノズルストッカーの前記切換部材と前記駆動機構の間に、前記規制部材を伴って前記切換部材を移動させる駆動力を伝達する動力伝達経路を形成する一方、前記下降位置にある前記ノズルストッカーの前記切換部材と前記駆動機構の間では、前記動力伝達経路を遮断するクラッチ機構と
をさらに備えた請求項１ないし３のいずれか一項に記載のノズル交換用収納機。
【請求項５】
前記切換部材は、前記各規制部材が前記挿脱規制状態となる方向へ付勢されている請求項４に記載のノズル交換用収納機。
【請求項６】
複数の前記ノズルストッカーを有する請求項４または５に記載のノズル交換用収納機であって、前記昇降機構は、前記複数のノズルストッカーを一括して前記上昇位置に上昇させるノズル交換用収納機。
【請求項７】
複数の前記ノズルストッカーを有する請求項４または５に記載のノズル交換用収納機であって、前記昇降機構は、前記複数のノズルストッカーのうちの一のノズルストッカーを選択的に前記上昇位置に上昇させるノズル交換用収納機。
【請求項８】
それぞれノズルが着脱自在に装着される複数のノズル装着部を円周状に配列して構成されたロータリー式の実装ヘッドを、複数配列したヘッドユニットと、
それぞれがノズルを挿脱可能に収納する複数のノズル収納部を円周状に配列して構成されたノズル収納ユニットを、前記複数の実装ヘッドの配列に対応して複数配列したノズルストッカーと
を備え、
互いに対応する前記実装ヘッドと前記ノズル収納ユニットの間では、前記複数のノズル装着部の配列と前記複数のノズル収納部の配列が対応しており、
前記ノズルストッカーは、
前記ノズル収納ユニット毎にそれぞれ設けられて、それぞれが対応する前記ノズル収納ユニットの前記各ノズル収納部に対して前記ノズルの挿脱を一括して規制する挿脱規制状態および前記ノズルの挿脱を一括して許可する挿脱許可状態のいずれかを選択的に取る複数の規制部材と、
前記各規制部材を伴って移動することで、前記挿脱規制状態および前記挿脱許可状態のいずれかに前記各規制部材の状態を一括して切り換える切換部材と、
前記切換部材を駆動する駆動機構と
を有する部品実装装置。
【請求項９】
前記複数の実装ヘッドは、前記ヘッドユニットにおいてヘッド配列方向にヘッド配列ピッチで直線状に配列され、
前記複数のノズル収納ユニットは、前記ノズルストッカーにおいて前記ヘッド配列方向と同じ方向に前記ヘッド配列ピッチと等しい配列ピッチで直線状に配列され、
前記ヘッド配列方向と同じ方向に隣接する異なる前記ノズル収納ユニットにそれぞれ属して前記ヘッド配列方向と同じ方向に直線状に並ぶ２個の前記ノズル収納部の配列ピッチが前記ヘッド配列ピッチと等しい請求項８に記載の部品実装装置。
【請求項１０】
基板搬送方向へ基板を搬送する搬送部をさらに備え、
前記複数の実装ヘッドは、前記ヘッドユニットにおいて前記基板搬送方向に直線状に配列され、
前記複数のノズル収納ユニットは、前記ノズルストッカーにおいて前記基板搬送方向に直線状に配列され、
前記実装ヘッドにおいて前記複数のノズル装着部が配列される円周の直径と、前記ノズル収納ユニットにおいて前記複数のノズル収納部が配列される円周の直径とは等しく、
前記実装ヘッドにおいて前記複数のノズル装着部が配列される周方向への配列ピッチと、前記ノズル収納ユニットにおいて前記複数のノズル収納部が配列される周方向への配列ピッチとは等しい請求項８に記載の部品実装装置。
【発明の詳細な説明】
【技術分野】
【０００１】
この発明は、ノズルを着脱自在に装着できる実装ヘッドに対して、ノズル交換用収納機を用いてノズルを交換する技術に関する。
【背景技術】
【０００２】
従来、複数のノズルを円周状に配列したロータリー式の実装ヘッドを用いて、部品実装を行う部品実装装置が知られている。また、特許文献１では、かかるロータリー式の実装ヘッドに対してノズル交換を実行するのに適したノズル交換用収納機が提案されている。このノズル交換用収納機は、それぞれノズルを収納可能な複数のノズル収納部が円周状に配列されたノズルストッカーの上部に保持プレートを回動自在に取り付けた概略構成を具備し、保持プレートにはノズル収納部の配列に対応して複数の開口が円周状に並んでいる。そして、保持プレートを適宜回動させることで、各ノズル収納部にノズルを拘束する拘束状態と、各ノズル収納部へのノズルの拘束を解く非拘束状態とを、相互に切り換えることが可能となっている。【０００３】
つまり、拘束状態に対応する回動位置に保持プレートがあるときは、開口がノズル収納部からずれてノズル収納部に収納されるノズルに係合するため、ノズル収納部からノズルを抜き取れない。一方、非拘束状態に対応する回動位置に保持プレートがあるときは、開口がノズル収納部と一致するため、開口を介してノズル収納部からノズルを抜き取れ、開口を介してノズルをノズル収納部に収納できる。ちなみに、このように保持プレートを動かすことにより、拘束状態と非拘束状態とを相互に切り換えるためには、保持プレートを駆動する駆動機構が必要となる。そこで、保持プレートを駆動するエアシリンダーが、保持プレートに隣接して設けられている。
【先行技術文献】
【特許文献】
【０００４】
【特許文献１】特開２００６−２６９７９４号公報
【発明の概要】
【発明が解決しようとする課題】
【０００５】
このように、特許文献１のノズル交換用収納機では、複数のノズル収納部を円周状に配列してノズル収納ユニットが構成されており、このノズル収納ユニットに対して保持プレートが設けられている。そして、エアシリンダーによって保持プレートをノズル収納ユニットに対して変位させることで、ノズル収納部に対するノズル挿脱の規制状態が切り換えられている。【０００６】
ところで、ノズル交換用収納機においては、ノズルストッカーにおけるノズル収納部の数を増やして、機能の拡充を図ることができる。具体的には、複数のノズル収納部を円周状に配列して構成されるノズル収納ユニットを複数配列して、ノズル交換用収納機を構成することが考えられる。ただし、ノズル収納部に対するノズル挿脱を規制する上記保持プレートのような規制部材をノズル収納ユニットに対して設けたノズル交換用収納機では、複数のノズル収納ユニットを設けたことに伴って、複数の規制部材を設ける必要がある。この際、複数の規制部材のそれぞれにエアシリンダーのような駆動機構を配備するとなると、多くのエアシリンダーが必要となりコストが増大するおそれがある。【０００７】
この発明は上記課題に鑑みなされたものであり、複数のノズル収納部を円周状に配列したノズル収納ユニットを複数配列したノズル交換用収納機および当該ノズル交換用収納機を備えた部品実装装置において、ノズル収納部へのノズル挿脱を規制する規制部材を駆動する駆動機構の増大を抑えてコスト増大の抑制を図ることができる技術の提供を目的とする。
【課題を解決するための手段】
【０００８】
本発明にかかるノズル交換用収納機は、上記目的を達成するために、それぞれがノズルを挿脱可能に収納する複数のノズル収納部を円周状に配列して構成されたノズル収納ユニットを、複数配列したストッカー本体と、ノズル収納ユニット毎にそれぞれ設けられて、それぞれが対応するノズル収納ユニットの各ノズル収納部に対してノズルの挿脱を一括して規制する挿脱規制状態およびノズルの挿脱を一括して許可する挿脱許可状態のいずれかを選択的に取る複数の規制部材と、各規制部材を伴って移動することで、挿脱規制状態および挿脱許可状態のいずれかに各規制部材の状態を一括して切り換える切換部材と、切換部材を駆動する駆動機構とを備えている。【０００９】
本発明にかかる部品実装装置は、上記目的を達成するために、それぞれノズルが着脱自在に装着される複数のノズル装着部を円周状に配列して構成されたロータリー式の実装ヘッドを、複数配列したヘッドユニットと、それぞれがノズルを挿脱可能に収納する複数のノズル収納部を円周状に配列して構成されたノズル収納ユニットを、複数の実装ヘッドの配列に対応して複数配列したノズルストッカーとを備え、互いに対応する実装ヘッドとノズル収納ユニットの間では、複数のノズル装着部の配列と複数のノズル収納部の配列が対応しており、ノズルストッカーは、ノズル収納ユニット毎にそれぞれ設けられて、それぞれが対応するノズル収納ユニットの各ノズル収納部に対してノズルの挿脱を一括して規制する挿脱規制状態およびノズルの挿脱を一括して許可する挿脱許可状態のいずれかを選択的に取る複数の規制部材と、各規制部材を伴って移動することで、挿脱規制状態および挿脱許可状態のいずれかに各規制部材の状態を一括して切り換える切換部材と、切換部材を駆動する駆動機構とを有している。【００１０】
このように構成された本発明（ノズル交換用収納機、部品実装装置）では、複数のノズル収納部を円周状に配列して構成されるノズル収納ユニットが複数配列されて、ノズル収納ユニット毎に規制部材が設けられている。つまり、複数のノズル収納ユニットに対応して複数の規制部材が設けられている。そして、複数の規制部材それぞれは、対応するノズル収納ユニットを構成する各ノズル収納部に対して、ノズルの挿脱を一括して規制する挿脱規制状態およびノズルの挿脱を一括して許可する挿脱許可状態のいずれかを選択的に取る。この際、本発明では、各規制部材を伴って移動することで、挿脱規制状態および挿脱許可状態のいずれかに各規制部材の状態を一括して切り換える切換部材が具備されているため、駆動機構は、切換部材を移動させて複数の規制部材の状態を一括して切り換えることができる。したがって、複数の規制部材のそれぞれに個別に駆動機構を設ける必要がなく、ノズル収納部へのノズル挿脱を規制する規制部材を駆動する駆動機構の増大を抑えてコスト増大の抑制を図ることが可能となっている。【００１１】
また、規制部材は、対応するノズル収納ユニットにおける複数のノズル収納部の配列中心周りで、切換部材の移動に伴って回動することで、挿脱規制状態と挿脱許可状態との間で切り換わるように、ノズル交換用収納機を構成しても良い。このような構成では、切換部材によって各規制部材を回動させるだけで、複数の規制部材の状態を一括して切り換えることができる。【００１２】
また、規制部材は、複数のノズル収納部に対応して設けられて配列中心周りに円周状に配列された複数の突起部を有し、複数の突起部それぞれは、規制部材の回動に伴って、対応するノズル収納部に対するノズルの挿脱経路に突出する挿脱規制位置および挿脱経路から外れる挿脱許可位置のいずれかに位置し、規制部材は、一方側に回動することで複数の突起部を一括して挿脱規制位置に位置決めする挿脱規制状態を取り、一方側の逆の他方側に回動することで複数の突起部を一括して挿脱許可位置に位置決めする挿脱許可状態を取るように、ノズル交換用収納機を構成しても良い。このような構成では、切換部材によって規制部材を回動させて、規制部材に設けられた突起部を変位させるだけで、複数の規制部材の状態を一括して切り換えることができる。【００１３】
また、ストッカー本体、規制部材および切換部材で構成されるノズルストッカーを、上昇位置と下降位置との間で昇降させる昇降機構と、上昇位置にあるノズルストッカーの切換部材と駆動機構の間に、規制部材を伴って切換部材を移動させる駆動力を伝達する動力伝達経路を形成する一方、下降位置にあるノズルストッカーの切換部材と駆動機構の間では、動力伝達経路を遮断するクラッチ機構とをさらに備えるように、ノズル交換用収納機を構成しても良い。このような構成では、ノズルストッカーを昇降させることで、切換部材と駆動機構の間の動力伝達経路を接続／遮断することができる。したがって、規制部材の状態切換が必要なときに動力伝達経路を形成する一方、規制部材の状態切換が必要ないときには動力伝達経路を遮断して、規制部材の状態が誤って切り換えられることがないように、制御することができる。【００１４】
しかも、ノズルストッカーが上昇位置にあるときに動力伝達経路が形成される一方、ノズルストッカーが下降位置にあるときに動力伝達経路が遮断されるように構成されている。そのため、ノズル交換用収納機が上側に位置する実装ヘッドに対してノズルの装着／収納を実行するために、ノズルストッカーを上昇位置にまで上昇させた際には、動力伝達経路が形成されるため、規制部材の状態を適宜切り換えることができる。一方、ノズル交換にノズルの装着／収納を実行しない間は、ノズルストッカーを下降位置に下降させておけば、動力伝達経路が遮断されるため、規制部材の状態が誤って切り換えられることがない。こうして、ノズルの装着／収納を実行するタイミングに応じて、動力伝達経路の形成／遮断を適切に制御することができるため、かかる構成は好適である。【００１５】
さらに、切換部材は、各規制部材が挿脱規制状態となる方向へ付勢されているように、ノズル交換用収納機を構成しても良い。このような構成では、動力伝達経路が遮断されている間は、規制部材が挿脱規制状態となるため、ノズル収納部へのノズル挿脱が規制される。したがって、動力伝達経路が遮断されているために駆動機構から規制部材への動力伝達が効かない状況において、例えばノズル収納部に収納されていたノズルが誤って脱落するといったことが防止できる。【００１６】
この際、複数のノズルストッカーを有するノズル交換用収納機であって、昇降機構は、複数のノズルストッカーを一括して上昇位置に上昇させるように、ノズル交換用収納機を構成しても良い。このような構成では、複数のノズルストッカーを上昇位置に上昇させることで、複数のノズルストッカーそれぞれの切換部材と駆動機構の間で動力伝達経路を形成することができ、規制部材の状態切換を複数のノズルストッカーに対して一括して実行できる。【００１７】
あるいは、複数のノズルストッカーを有するノズル交換用収納機であって、昇降機構は、複数のノズルストッカーのうちの一のノズルストッカーを選択的に上昇位置に上昇させるように、ノズル交換用収納機を構成しても良い。このような構成では、複数のノズルストッカーのうち、規制部材の状態切換が必要なノズルストッカーの規制部材に対して選択的に動力伝達経路を形成することができる。【００１８】
また、複数の実装ヘッドは、ヘッドユニットにおいてヘッド配列方向にヘッド配列ピッチで直線状に配列され、複数のノズル収納ユニットは、ノズルストッカーにおいてヘッド配列方向と同じ方向にヘッド配列ピッチと等しい配列ピッチで直線状に配列され、ヘッド配列方向と同じ方向に隣接する異なるノズル収納ユニットにそれぞれ属してヘッド配列方向と同じ方向に直線状に並ぶ２個のノズル収納部の配列ピッチがヘッド配列ピッチと等しいように、部品実装装置を構成しても良い。このような構成では、隣接する異なるノズル収納ユニットに属するノズル収納部が同時にノズル交換に供することができ、ノズル交換を効率的に行うことができる。【００１９】
また、基板搬送方向へ基板を搬送する搬送部をさらに備え、複数の実装ヘッドは、ヘッドユニットにおいて基板搬送方向に直線状に配列され、複数のノズル収納ユニットは、ノズルストッカーにおいて基板搬送方向に直線状に配列され、実装ヘッドにおいて複数のノズル装着部が配列される円周の直径と、ノズル収納ユニットにおいて複数のノズル収納部が配列される円周の直径とは等しく、実装ヘッドにおいて複数のノズル装着部が配列される周方向への配列ピッチと、ノズル収納ユニットにおいて複数のノズル収納部が配列される周方向への配列ピッチとは等しいように、部品実装装置を構成しても良い。このような構成では、実装ヘッドの複数のノズル装着部と、ノズル収納ユニットの複数のノズル収納部との間で、ノズルの装着／収納を効率的に行うことができ、ノズル交換を効率的に行うことができる。
【発明の効果】
【００２０】
本発明によれば、複数のノズル収納部を円周状に配列したノズル収納ユニットを複数配列したノズル交換用収納機および当該ノズル交換用収納機を備えた部品実装装置において、ノズル収納部へのノズル挿脱を規制する規制部材を駆動する駆動機構の増大を抑えてコスト増大の抑制を図ることができる。
【図面の簡単な説明】
【００２１】
【図１】本発明を適用可能な部品実装装置の部分的構成を模式的に例示する平面図である。
【図２】図１の部品実装装置が備えるヘッドユニットの一例を示す側面図である。
【図３】図１の部品実装装置が備えるヘッドユニットの一例を示すＸ方向の部分断面図である。
【図４】本発明を適用可能なノズル交換用収納機の一例を示す斜視図である。
【図５】図４のノズル交換用収納機が具備するノズルストッカーの一例を示す平面図である。
【図６】ヘッドユニットでのノズル装着部の配列とノズルストッカーでのノズル収納部の配列との対応関係を模式的に示す図である。
【図７】挿脱規制状態および挿脱許可状態の切換動作の一例を示す平面図である。
【図８】図４のノズル交換用収納機の一例を示す側面図である。
【図９】図４のノズル交換用収納機の一例を示す正面図である。
【図１０】１個のノズルストッカーが選択的に上昇した状態を例示する正面図である。
【図１１】昇降状態検出機構の一例を模式的に示す斜視図である。
【図１２】図１１の昇降状態検出機構の動作の一例を模式的示す動作説明図である。
【図１３】図１の部品実装装置が備える電気的構成の一例を示すブロック図である。
【図１４】図１の部品実装装置で実行されるノズルの装着・収納・交換の一例を示すフローチャートである。
【図１５】図１４のフローチャートで実行されるサブルーチンである「全下降状態確認」の一例を示すフローチャートある。
【図１６】図１４のステップＳ１６０〜Ｓ２００で実行される動作の一例を部分的に示す動作説明図である。
【図１７】図１４のフローチャートで実行されるサブルーチンである「一部上昇状態確認」の一例を示すフローチャートである。
【図１８】図１４のフローチャートで実行されるサブルーチンである「ノズル装着」の一例を示すフローチャートである。
【図１９】図１４のフローチャートで実行されるサブルーチンである「ノズル収納」の一例を示すフローチャートである。
【発明を実施するための形態】
【００２２】
図１は、本発明を適用可能な部品実装装置の部分的構成を模式的に例示する平面図である。同図および以下に示す図では、基板搬送方向Ｘ、幅方向Ｙおよび鉛直方向ＺからなるＸＹＺ直交座標系を適宜示す。また、Ｘ軸の矢印側を一方側と称し、Ｘ軸の矢印の反対側を他方側と適宜称する。部品実装装置１は、搬送レーン２が搬入した基板に対して、部品供給部３が供給する部品をヘッドユニット４により移載する概略構成を具備する。より具体的には、基板搬送方向Ｘに並行して延設された２本の搬送レーン２と、これら搬送レーン２の幅方向Ｙの両側それぞれに２個ずつ設けられた部品供給部３と、４個のヘッドユニット４とを部品実装装置１は備える。
【００２３】
２本の搬送レーン２それぞれは共通の構成を具備しており、基板を基板搬送方向Ｘの上流側（図１において右側から左側へ基板を搬送する場合には一方側となる。）から搬入して所定の停止位置２０（図１の一点鎖線）で停止させる基板搬入動作と、停止位置２０で部品実装を受けた基板を基板搬送方向Ｘの下流側へ搬出する基板搬出動作とを実行する。この際、各搬送レーン２は、例えば基板搬送方向Ｘにおいて異なる２つの停止位置２０それぞれに基板を停止できる構成を具備する。２本の搬送レーン２のそれぞれは基板搬送方向Ｘに並行して延設された２本の搬送コンベア２１で構成され、部品実装装置１では４本の搬送コンベア２１が幅方向Ｙへ並ぶ。４本の搬送コンベア２１のうち、外側の２本は幅方向Ｙに固定された固定コンベアであり、内側の２本は幅方向Ｙに移動自在な可動コンベアである。したがって、可動コンベア２１の幅方向Ｙへ移動させることで、搬送レーン２の幅を基板の幅に応じて調整することができる。
【００２４】
ちなみに、２本の搬送レーン２における基板搬送の態様は、図１に例示したものに限られない。つまり、図１では、２本の搬送レーン２それぞれに２つずつ停止位置２０を設定して、合計４つの停止位置２０を設定しつつ基板搬送を行う場合が例示されているが、２本の搬送レーン２それぞれに、一方は右側、他方は左側に１つずつ停止位置２０を設定して、合計２つの停止位置２０を設定することもできる。また、基板の幅が広いために２本の搬送レーン２で同時に基板搬送を実行できないような場合には、２本の搬送レーンのうちの一方でのみ基板搬送を実行して、他方では基板搬送を実行しなくても構わない。
【００２５】
これら搬送レーン２の幅方向Ｙの両側それぞれでは、２個の部品供給部３が基板搬送方向Ｘに並んでおり、部品実装装置１では、合計４個の部品供給部３が設けられている。各部品供給部３は、複数のテープフィーダー３１を基板搬送方向Ｘに配列した構成を具備する。各テープフィーダー３１は、集積回路（ＩＣ）、トランジスタ、コンデンサ等の小片状の電子部品を収納するテープをリールに巻き回した概略構成を具備し、リールから電子部品を間欠的に搬送レーン２側端部へ送り出すことで、電子部品を供給する。なお、部品供給部３を構成するフィーダーの種類としては、テープ型のフィーダーに限られず、トレイに載置された状態で電子部品を供給するトレイ型のフィーダーであっても良い。
【００２６】
４個のヘッドユニット４のそれぞれは、Ｘ方向に配列された３本の実装ヘッド５を有し、各実装ヘッド５の先端のノズルで各テープフィーダー３１の搬送レーン２側端部から部品を吸着することで、部品供給部３が供給する部品を停止位置２０に停止する基板へ移載する。また、部品実装装置１では、ヘッドユニット４を移動させるためのヘッド駆動機構６が設けられている。具体的には、４個のヘッド駆動機構６が上述した４個の部品供給部３に対応して設けられている。そして、４個のヘッド駆動機構６がそれぞれ１個のヘッドユニット４の駆動を担う。
【００２７】
各ヘッド駆動機構６は、Ｘ方向へ移動自在にヘッドユニット４を支持しつつＸ方向に延びるＸ軸ビーム６１を、Ｙ方向へ移動自在に支持した構成を具備する。Ｘ軸ビーム６１には、ヘッドユニット４に取り付けられてＸ方向に延びるＸ軸ボールネジ６２と、Ｘ軸ボールネジ６２を回転駆動するＸ軸サーボモーター６３とが取り付けられている。そして、Ｘ軸サーボモーター６３がＸ軸ボールネジ６２を回転駆動すると、Ｘ軸ボールネジ６２に螺合する不図示のナットが固定されたヘッドユニット５がＸ軸ビーム６１に沿ってＸ方向へ移動する。また、各ヘッド駆動機構６は、Ｘ軸ビーム６１の一方の端部が取り付けられて搬送レーン２の上方をＹ方向に延びるＹ軸ボールネジ６４と、Ｙ軸ボールネジ６４を回転駆動するＹ軸サーボモーター６５とを有する。そして、Ｙ軸サーボモーター６３がＹ軸ボールネジ６４を回転駆動すると、Ｙ軸ボールネジ６４に螺合する不図示のナットが固定されたＸ軸ビームがヘッドユニット５を伴ってＹ方向へ移動する。Ｘ軸ビーム６１の他方の端部はそれぞれ２本の搬送レーン２のＸ方向中央部の上方をＹ方向に跨ぐ２本のレール６６のずれかに摺動可能に支持されている。
【００２８】
このように構成された各ヘッド駆動機構６は、Ｘ軸サーボモーター６３とＹ軸サーボモーター６５とを適宜回転させることで、対応する部品供給部３上方と停止位置２０の基板上方との間で、担当するヘッドユニット４を移動させることができる。これによって、ヘッドユニット４は、部品供給部３が供給する部品を実装ヘッド５で吸着して、停止位置２０に停止する基板へ移載することができる。
【００２９】
また、４個の部品供給部３それぞれに対しては、カメラ６８とノズル交換用収納機７とがＹ方向の内側（搬送レーン２側）から隣接して配置されている。こうして、カメラ６８およびノズル交換用収納機７が、部品供給部３と搬送レーン２との間（換言すれば、ヘッドユニット４の移動経路）に設けられている。カメラ６８は、鉛直方向Ｚに平行に上方を向いて配置されており、上側を通過するヘッドユニット４に保持された部品や、ヘッドユニット４に取り付けられた後述の位置認識用のマーク部材４１（図３）を撮像する。また、ノズル交換用収納機７は、ヘッドユニット４の各実装ヘッド５に取り付けられたノズルを交換するものであり、その詳細は後述する。
【００３０】
図２は、図１の部品実装装置が備えるヘッドユニットの一例を示す側面図である。図３は、図１の部品実装装置が備えるヘッドユニットの一例を示すＸ方向の部分断面図である。続いては、図２および図３を用いて各ヘッドユニット４の構成について詳述する。なお、４個のヘッドユニット４は互いに同一の構成を具備するため、ここでは１個のヘッドユニット４について説明を行う。
【００３１】
ヘッドユニット４は、Ｘ方向に所定の配列ピッチＬhで直線状に並ぶ３本の実装ヘッド５を具備する。３本の実装ヘッド５それぞれは、Ｚ方向に延びるノズルシャフト５０の下端部にノズルＮを装着した概略構成を具備する。詳しくは、実装ヘッド５は、Ｚ方向に平行な中心軸Ｃ51を中心とする周方向に等しい配列ピッチで配置された８本のノズルシャフト５０を有し、各シャフト５０の下端部に設けられたノズル装着部５１にノズルＮを着脱自在に装着する。
【００３２】
ノズル装着部５１では、その下端部がシャフト５０へ向けて屈曲する板バネ５２がノズルシャフト５０の下端部の外周に隙間を空けて対向している。そして、ノズルＮの先端を下側に向けつつノズルＮの上部をノズルシャフト５０に外側から嵌めた状態でノズル装着部５１に対してノズルＮを上方へ押し込むと、ノズルＮの外周に設けられた係合突起Ｎeが板バネ５１１の下端部を外側に押し遣りながら、ノズルシャフト５０と板バネ５２のとの間の隙間に入り込む。その結果、ノズルＮの外周突起Ｎeが板バネ５２の下端部に係合して、ノズルＮはその先端を下側へ向けつつノズル装着部５１に装着される。こうしてノズル装着部５１に装着されたノズルＮは、板バネ５１１の弾性力によってノズル装着部５１に保持される。一方、ノズル装着部５１に装着されたノズルＮを板バネ５１の弾性力に抗して下方に引っ張ることで、ノズル装着部５１からノズルＮを取り外すことができる。なお、ノズルＮには、係合突起ＮeとノズルＮの下端（先端）との間で側方に突出する鍔Ｎfが形成されている。この鍔Ｎfの機能については、ノズル交換用収納機７と一緒に後述する。
【００３３】
各ノズルシャフト５０の中心には、ノズル装着部５１からＺ方向に延びる通気路５３が形成されている一方、ノズルＮの中心には、Ｚ方向に貫通するノズル孔Ｎvが形成されており、ノズル装着部５１に装着されたノズルＮのノズル孔Ｎvは通気路５３に連通する。したがって、通気路５３を介してノズル孔Ｎvの気圧を調整しつつ、実装ヘッド５１に部品実装を実行させることができる。具体的には、部品供給部３が供給する部品を保持する際には、ノズルＮの先端を部品に接触させつつノズル孔Ｎvに負圧を与えて、ノズルＮの先端に部品を吸着することができる。また、基板に部品を載置する際には、ノズル孔Ｎvに正圧を与えて、ノズルＮから基板へ部品を瞬時に移すことができる。なお、実装ヘッド５１は、８本のシャフト５０を個別に昇降させることができる。したがって、部品供給部３からの部品の保持や、基板への部品の載置は、実行主体となるノズルＮを装着したノズルシャフト５０を選択的に昇降させて実行することができる。さらに、実装ヘッド５１は、中心軸Ｃ51を中心として８本のノズルシャフト５０を一体的に回転できるロータリー式の実装ヘッドである。したがって、８本のノズルシャフト５０を適宜回転させて、ノズルＮの位置を調整することができる。
【００３４】
このように構成された３本のヘッド５のＸ方向の両外側には、Ｚ方向に延びる棒状の位置認識用のマーク部材４１が配置されている。各マーク部材４１はヘッドユニット３に固定されており、カメラ６８により撮像されてヘッドユニット３の位置認識に用いられる。  さらに、ヘッドユニット３は、ノズルＮに吸着された部品を側方から撮像するカメラ４３と、カメラ４３の視野を照らす照明４５とを有する。カメラ４３（の光学系４３１）は、実装ヘッド５に装着されたノズルＮの先端に対してＹ方向から対向して、ノズルＮに吸着された部品をＹ方向から撮像する。このように、カメラ４３は実装ヘッド５のＹ方向側に配置されている。また、実装ヘッド５において円周状に配列された８個のノズルＮの中央には、棒状の反射部材４７が設けられている。この反射部材４７によって照明４５からの光が反射されて、カメラ４３の視野をより明るく照らすことができる。
【００３５】
以上が、部品実装装置１の概要である。続いては、ノズル交換用収納機７について詳述する。図４は、本発明を適用可能なノズル交換用収納機の一例を示す斜視図である。図４では、ノズル交換用収納機７の全ノズル収納部にノズルＮが収納されている状態が示されている。ノズル交換用収納機７は、ノズルストッカー８に収納されていたノズルＮを実装ヘッド５に装着する装着動作や、実装ヘッド５に装着されていたノズルＮをノズルストッカー８に収納する収納動作を実行する。具体的には、ノズル交換用収納機７の上部には、互いに共通する構成を具備する４個のノズルストッカー８がＹ方向に等ピッチで配列されており、各ノズルストッカー８が装着動作や収納動作を実行可能である。
【００３６】
図５は、図４のノズル交換用収納機が具備するノズルストッカーの一例を示す平面図である。図５に基づき、ノズルストッカー８について説明する。ノズルストッカー８は、Ｘ方向に延びる直方体状のストッカー本体８０と、ストッカー本体８０の上面において上方を向いて開口するノズル収納部８１とを有し、鉛直方向Ｚから挿脱自在にノズルＮをノズル収納部８１に収納する。具体的には、ノズルＮの鍔Ｎfより下側（先端側）がノズル収納部８１に嵌入しつつ、ノズルＮの鍔Ｎfから上側がノズル収納部８１から突出した状態で（図４）、ノズル収納部８１はノズルＮを収納する。図５に示すように、ストッカー本体８０の上面では、円周状に等ピッチで配列された８個のノズル収納部８１から１個のノズル収納ユニット８１Ｕが構成され、さらに３個のノズル収納ユニット８１ＵがＸ方向に直線状に等ピッチで配列されている。かかるノズル収納部  ８１の配列は、ヘッドユニット４におけるノズル装着部５１の配列に対応したものである。
【００３７】
図６は、ヘッドユニットでのノズル装着部の配列とノズルストッカーでのノズル収納部の配列との対応関係を模式的に示す図である。同図の上段の欄では、ヘッドユニット４でのノズル装着部５１の配列を下方から見た様子が示され、同図の下段の欄では、ノズルストッカー８でのノズル収納部８１の配列を上方から見た様子が示されている。なお、同図では、各実装ヘッド５の回転角度が互いに等しく調整された状態が示されており、ノズル装着部５１はノズルＮが装着される円形状のノズルシャフト５０の下端部であり円形状で表されている。
【００３８】
上述したとおり、ヘッドユニット４では、３本の実装ヘッド５がＸ方向に配列ピッチＬhで直線状に配列されている。さらに、各実装ヘッド５では、８個のノズル装着部５１が周方向に配列ピッチＬoで円周状に配列されている。
【００３９】
これに対して、ノズルストッカー８では、３個のノズル収納ユニット８１ＵがＸ方向に上記配列ピッチＬhと等しい配列ピッチで直線状に配列されている。さらに、各ノズル収納ユニット８１Ｕでは、８個のノズル収納部８１が周方向に上記配列ピッチＬoと等しい配列ピッチで配列されている。ちなみに、こうしてノズル収納部８１を配列した場合、Ｘ方向に隣接する異なるノズル収納ユニット８１Ｕに属しつつ、各ノズル収納ユニット８１Ｕにおける配置が等しい関係にあるノズル収納部８１は、Ｘ方向に配列ピッチＬhで配列される。
【００４０】
このように、ヘッドユニット４でのノズル装着部５１の配列と、ノズルストッカー８でのノズル収納部８１の配列とが対応付けられている。したがって、ヘッドユニット５の各実装ヘッド５の回転角度を調整して、図６に示したようにノズル装着部５１の配列角度とノズル収納部８１の配列角度とを合わせておけば、ヘッドユニット４をノズルストッカー８にＺ方向から対向させることで、各ノズル装着部５１と各ノズル収納部８１とを１対１の対応関係で相互にＺ方向に対向させることができる。以上が、ヘッドユニット４でのノズル装着部の配列とノズルストッカー８でのノズル収納部の配列との対応関係の説明である。図４、図５に戻ってノズルストッカー８の説明を続ける。
【００４１】
ストッカー本体８０の上面において、各ノズル収納ユニット８１の周囲には略円板状に窪んだ軸受孔８０１が形成されており、８個のノズル収納部８１は軸受孔８０１の底部で開口する。そして、軸受孔８０１の内径と略同じか若干小さい外径を有する円環状のシャッター８２が、各軸受孔８０１に嵌入されて、各ノズル収納ユニット８１Ｕに対して設けられている。各ノズル収納ユニット８１においては、複数のノズル収納部８１の円周配列の中心と、軸受孔８０１の円形状の中心と、シャッター８２の円環形状の中心とは相互に一致しており、シャッター８２は、軸受孔８０１の内壁との間で摺動しつつノズル収納ユニット８１Ｕの周囲を回動自在となっている。なお、ストッカー本体８０の上面においては、軸受孔８０１の内側に突き出てシャッター８２を上から位置決めする押えプレート８０３が各軸受孔８０１の周囲にねじ止めされており、シャッター８２の軸受孔８０１からの脱落が防止されている。
【００４２】
このように、３個のノズル収納ユニット８１Ｕそれぞれに対してシャッター８２が設けられている。そして、各シャッター８２は次のような構成を具備することで、対応するノズル収納ユニット８１Ｕの８個のノズル収納部８１に対するノズルＮの挿脱を規制する。つまり、シャッター８２は、円環状の周縁部８２１と、周縁部８２１から内側に突出する８個の突起部８２２とで構成される。周縁部８２１は、ノズル収納ユニット８１Ｕを構成する８個のノズル収納部８１に外接する外接円の径よりも大きい内径を有し、ノズル収納ユニット８１Ｕを外側から囲む。８個の突出部８２２は、かかる周縁部８２１の内壁に沿って、円周状に等ピッチで配列されている。すなわち、ノズル収納ユニット８１Ｕを構成する８個のノズル収納部８１の周りには、これらと同数の突起部８２２が設けられており、８個のノズル収納部８１と８個の突起部８２２とが対応付けられている。そして、シャッター８２を回動させると、各突起部８２２は、対応するノズル収納部８１に対するノズルＮの挿脱経路に突出する挿脱規制位置Ｐrと、当該挿脱経路から外れる挿脱許可位置Ｐpとの間で回動する（図７参照）。各突起部８２２は、挿脱規制位置Ｐrにおいて対応するノズル収納部８１に対するノズルＮの挿脱を規制する一方、挿脱許可位置Ｐpにおいて対応するノズル収納部８１に対するノズルＮの挿脱を許可する。なお、図５では、各突起部８２２は挿脱規制位置Ｐrに位置している。
【００４３】
シャッター８２が上記構成を具備するため、シャッター８２を適宜回動させることで、当該シャッター８２に対応する８個のノズル収納部８１に対して一括して、ノズルＮの挿脱を規制あるいは許可することができる。つまり、各突起部８２２が挿脱規制位置Ｐrに位置する回動状態（挿脱規制状態）をシャッター８２が取ると、このシャッター８２に対応する８個のノズル収納部８１に対しては、ノズルＮの挿脱が一括して規制される。一方、各突起部８２２が挿脱許可位置Ｐpに位置する回動状態（挿脱許可状態）をシャッター８２が取ると、このシャッター８２に対応する８個のノズル収納部８１に対しては、ノズルＮの挿脱が一括して許可される。
【００４４】
このようなシャッター８２の回動は、ストッカー本体８０の上面において各シャッター８２に対して設けられたクランクプレート８３を介して行われる。つまり、シャッター８２は、周縁部８２１から上方へ突出するピン８２３を有する。これに対して、クランクプレート８３は、シャッター８２が嵌入された軸受孔８０１に隣接して設けられ、シャッター８２のピン８２３に係合しつつ回転自在に構成されている。具体的には、クランクプレート８３は、軸受孔８０１の内側に突出した係合部８３１を有し、係合部８３１をＺ方向に貫通する長孔８３２によってピン８２３に係合する。したがって、クランクプレート８３が回動すると、シャッター８２がクランクプレート８３に連動して回動する。なお、長孔８３２の長さをピン８２３の外径よりも長くしている。長孔８３２とピン８２３との間に遊びを設けることで、シャッター８２がクランクプレート８３にスムーズに連動できるように構成されている。
【００４５】
ストッカー本体８０のＹ方向の側面には、Ｘ方向の一方側（図５の左側）から他方側（図５の右側）に延びるガイド溝８０５が形成されている。そして、Ｘ方向にガイド溝８０５よりも長いスライダー８４が、ガイド溝８０５に嵌入されている。このスライダー８４は、Ｘ方向の他方側（図５の右側）においてガイド溝８０５の端から部分的に突出しつつ、ガイド溝８０５に沿ってＸ方向へ移動自在に設けられている。
【００４６】
さらに、スライダー８４は、Ｘ方向に並ぶ３個のクランクプレート８３それぞれの下方に配置された、上方へ突出するピン８４１を有する。こうしてＸ方向に並ぶ３本のピン８４１のそれぞれは、上方に位置するクランププレート８３に形成された切欠部８３３に係合する。したがって、スライダー８４をＸ方向に移動させると、３本のピン８４１を介してスライダー８４に係合する３個のクランクプレート８３が一括して回動し、３個のシャッター８２も一括して回動する。こうしてスライダー８４をＸ方向に移動させることで、スライダー８４に連動する３個のシャッター８２を一括して回動させて、挿脱規制状態および挿脱許可状態のいずれかに３個のシャッター８２の状態を一括して切り換えることができる。
【００４７】
図７は、挿脱規制状態および挿脱許可状態の切換動作の一例を示す平面図であり、ノズル収納ユニット８１Ｕの各ノズル収納ユニット８１にノズルＮが収納されている状態が例示されている。なお、同図では、１個のノズル収納ユニット８１Ｕに関する構成が代表して示されているが、同じノズルストッカー８に属する３個のノズル収納ユニット８１Ｕに関する構成は、一括して同じ動作を実行する。
【００４８】
同図上段の欄に示すように挿脱規制状態では、スライダー８４に伴ってピン８４１は、Ｘ方向の一方側Ｘlに移動した状態にある。したがって、クランクプレート８３は時計回り側Ｒfに回動した状態にあり、シャッター８２は反時計回りＲbに回動した状態にある。その結果、挿脱規制位置Ｐrに位置する各突起部８２２は、ノズル収納部８１に収納されるノズルＮの鍔Ｎfの直上に位置して、ノズル収納部８１からのノズルＮの取出を規制する。
【００４９】
同図下段の欄に示すように挿脱許可状態では、スライダー８４に伴ってピン８４１は、Ｘ方向の他方側Ｘrに移動した状態にある。したがって、クランクプレート８３は反時計回り側Ｒbに回動した状態にあり、シャッター８２は時計回りＲfに回動した状態にある。その結果、挿脱許可位置Ｐpに位置する各突起部８２２は、ノズル収納部８１に収納されるノズルＮの鍔Ｎfの直上から外れて、ノズル収納部８１からのノズルＮの取出を許可する。
【００５０】
図４、図５に戻って説明を続ける。ストッカー本体８０には、スライダー８４をＸ方向の一方側（図５の左側）に付勢するばね等の弾性部材（図示省略）が内蔵されており、各シャッター８２は、この弾性部材によって挿脱規制状態となる回動方向Ｒbに付勢されている。一方、スライダー８４は、ストッカー本体８０からＸ方向の他方側（図５の右側）に突出した部分に、上方へ突出するシャッター操作部８４３を有している。したがって、シャッター操作部８４３を操作することで、弾性部材の付勢力に抗してスライダー８４をＸ方向へ移動させることができる。ただし、ストッカー本体８０は、スライダー８４のＸ方向の他方側（図５の右側）で、スライダー８４の移動経路において、後述する取付平板部７５aに設けられた不図示のストッパーを備える。したがって、スライダー８４がストッパーに突き当たると、付勢力に抗したスライダー４のそれ以上の移動が規制される。
【００５１】
スライダー８４は、ピン８４１が設けられた肉厚部８４５においてＹ方向に肉厚に形成されている。この肉厚部８４５は、ガイド溝８０５からＹ方向に突出しており、スライダー８４の移動に伴って移動する。一方、スライダー本体８０の側面に対しては、スライダー８４の肉厚部８４５の移動範囲を避けつつガイド溝８０５を覆うカバー部材８０７がねじ止めされている。このカバー部材８０７によって、スライダー８４のガイド溝８０５からの脱落が防止されている。
【００５２】
続いて、図４、図８および図９を用いて、ノズルストッカー８を昇降させるストッカー昇降機構７１について説明する。ここで、図８は、図４のノズル交換用収納機の一例を示す側面図であり、図９は、図４のノズル用収納交換機の一例を示す正面図である。ノズル交換用収納機７の基台７０の上面には、互いに共通する構成を具備する４個のストッカー昇降機構７１がＹ方向に等ピッチで配列されており、これらストッカー昇降機構７１の上側に４個のノズルストッカー８がＹ方向に等ピッチで配列されている。ストッカー昇降機構７１の配列ピッチとノズルストッカー８の配列ピッチとは互いに等しく、４個のストッカー昇降機構７１と４個のノズルストッカー８とが対応付けられている。そして、各ストッカー昇降機構７１は対応して設けられた直上のノズルストッカー８を昇降させる。
【００５３】
ストッカー昇降機構７１の骨格をなす支持フレーム７１０は、基台７０上に立設されてＺ方向に延びている。ストッカー昇降機構７１は、支持フレーム７１０の下部に固定されたＺ軸シリンダー７１２と、支持フレーム７１０の上部に昇降自在に設けられた昇降プレート７１３とを有する。Ｚ軸シリンダー７１２は、シリンダーロッド７１２aをエアによってＺ方向へ進退させるロッドシリンダー（エアシリンダー）であり、基台７０の下部に収容されたエア供給装置７０１からエアホース７０２を介してエアの供給を受けてシリンダーロッド７１２aを昇降させる。昇降プレート７１３は、支持フレーム７１０の上部に固定されたガイド部材７１４によって昇降自在に支持されている。そして、Ｚ軸シリンダー７１２のシリンダーロッド７１２aの上部がジョイント７１５によって昇降プレート７１３に取り付けら、昇降プレート７１３の上部がノズルストッカー８を下側から支持する支持底板７１６に固定されている。したがって、Ｚ軸シリンダー７１２によって、ノズルストッカー８は、昇降プレート７１３と一緒に昇降する。
【００５４】
このようなストッカー昇降機構７１は、Ｚ軸シリンダー７１２のシリンダーロッド７１２aをＺ方向へ進退させることで、対応するノズルストッカー８を昇降させることができる。また、ノズル交換用収納機７では、４個のノズルストッカー８それぞれに対してストッカー昇降機構７１が個別に設けられている。したがって、４個のノズルストッカー８を個別に昇降させることが可能となっている。
【００５５】
さらに、ノズル交換用収納機１は、４個のノズルストッカー８のうち上昇したノズルストッカー８のシャッター操作部８４３を操作して、シャッター８２を操作するシャッター操作機構７３を有する。シャッター操作機構７３は、４個のノズルストッカー８のＸ方向の他方側（図９の右側）に配置されており、接続フレーム７５を介して支持フレーム７１０に取り付けられている。このシャッター操作機構７３は、次に説明するように、ノズルストッカー８のシャッター操作部８４３に、上方から対向するクラッチ部材７３１を、Ｘ軸シリンダー７３２でＸ方向へ駆動する概略構成を備える。シャッター操作部８４３は、スライダー８４のＸ方向の他方側（図９の右側）端部と連結されており、シャッター操作部８４３とスライダー８４は一体的にＸ方向に移動する。
【００５６】
接続フレーム７５は、４個のノズルストッカー８および支持フレーム７１０のＸ方向の他方側（図９の右側）でＹＺ平面に平行に設けられた取付平板部７５aと、取付平板部７５aのＹ方向の両側において支持フレーム７１０側へ向けてＸ方向に屈曲する２枚の屈曲平板部７５bとを有し、これら屈曲平板部７５bがＹ方向の両端に位置する支持フレーム７１０にねじ止めされている。そして、シャッター操作機構７３のフレーム部材７３０が、取付平板部７５aの上端に取り付けられて、取付平板部７５aからＸ方向の他方側（図９の右側）に突出する。フレーム部材７３０はＸＹ平面に平行な平板形状を有し、Ｙ方向において４個のノズルストッカー８の配列の中央に位置する。
【００５７】
クラッチ部材７３１は、Ｘ軸ガイド機構７３３を介してフレーム部材７３０の上面に取り付けられており、Ｘ方向へ移動自在となっている。具体的には、Ｘ軸ガイド機構７３３は、フレーム部材７３０の上面に固定されたＸ軸レール７３３aと、Ｘ軸レール７３３aに沿ってＸ方向へ移動自在なＸ軸スライダー７３３bとを有し、Ｘ軸スライダー７３３bにクラッチ部材７３１がねじ止めされている。クラッチ部材７３１は板状部材であり、第１延設板部７３１a、第２延設板部７３１bおよび係合爪７３１cとで構成される。第１延設板部７３１aは、Ｘ軸スライダー７３３bからノズルストッカー側８へ向けてＸ方向へ延びる板状のものであり、Ｘ軸スライダー７３３bから突出した部分で階段状に屈曲する。第２延設板部７３１bは、第１延設板部７３１aから４個のノズルストッカー８の上方までＸ方向へ延びる板状のものである。この第２延設板部７３１bは、Ｙ方向において４個のシャッター操作部８４３の配列よりも広い幅を有し、Ｙ方向に並ぶ４個のシャッター操作部８４３に上方から対向する。係合爪７３１cは、第２延設板７３２bのノズルストッカー側８のＸ方向の先端から下方に屈曲して設けられ、Ｙ方向に第２延設板部７３１bと同じ幅を有する。
【００５８】
Ｘ軸シリンダー７３２は、フレーム部材７３０の下面に取り付けられており、ノズルストッカー８側へ向けてＸ方向に延びるシリンダーロッド７３２aを有する。このシリンダーロッド７３２aは、接続フレーム７５の取付平板部７５aに設けられた貫通孔（不図示）をＸ方向に貫通して、取付平板部７５aよりノズルストッカー８側にまで延びる。Ｘ軸シリンダー７３２は、シリンダーロッド７３２aをエアによってＸ方向へ進退させるロッドシリンダー（エアシリンダー）であり、基台７０の下部に収容されたエア供給装置７０１からエアホース７０３を介してエアの供給を受けてシリンダーロッド７３２aを移動させる。そして、シリンダーロッド７３２aのノズルストッカー８側の先端が、クラッチ部材７３１に係合する係合平板７３５に接続されている。具体的には、クラッチ部材７３１の底面には、Ｘ方向に間隔を空けて配置されつつそれぞれＹ方向に延びる棒部材７３６が固定されており、係合平板７３５は、棒部材７３６の間に遊びを持って嵌入して、クラッチ部材７３１に係合する。したがって、Ｘ軸シリンダー７３２のシリンダーロッド７３２aをＸ方向へ進退させることで、クラッチ部材７３１をＸ方向へ移動させることができる。
【００５９】
このように構成されたシャッター操作機構７３のクラッチ部材７３１は、ストッカー昇降機構７１によって上昇されたノズルストッカー８のシャッター操作部８４３に選択的に係合して、上昇されたノズルストッカー８のシャッター８２を操作することができる。かかる動作について、図１０を併用しつつ説明する。ここで、図１０は、１個のノズルストッカーが選択的に上昇した状態を例示する正面図である。図１０示す例では、シリンダーロッド７３２aがノズルストッカー８側に伸びており、クラッチ部材７３１がノズルストッカー８側に寄っている状態において、図４における左端（Ｙ方向＋側端）のノズルストッカー８のみが上昇し、その他のノズルストッカー８が下降した状況を示すものである。
【００６０】
上述のストッカー昇降機構７１は、上昇位置Ｐuと上昇位置Ｐuより下側の下降位置Ｐdの間でノズルストッカー８を昇降させる。一方、４個のノズルストッカー８それぞれの操作部８４３に対しては、上方からクラッチ部材７３１の第２延設板部７３１bが対向する。ノズルストッカー８の下降位置Ｐｄは、操作部８４３の上端が支持フレーム７１０に固定されるクラッチ部材７３１の係合爪７３１cの下端より下方となる高さに設定され、ノズルストッカー８の上昇位置Ｐuは、操作部８４３の上端が係合爪７３１cの下端より上方となる高さに設定されている。詳しくは、上昇位置Ｐuにあるノズルストッカー８の操作部８４３の上端とクラッチ部材７３１の第２延設板部７３１bとの間には、クリアランスが空いている。また、シリンダーロッド７３２aが延びた状態において、クラッチ部材７３１の係合爪７３１cは、付勢力でＸ方向の一方側Ｘlに押し遣られた操作部８４３よりもさらにＸ方向の一方側Ｘlに位置する。したがって、上昇位置Ｐuに位置するノズルストッカー８の操作部８４３に対しては、クラッチ部材７３１の係合爪７３１cがＸ方向の一方側Ｘlで係合するのに対して、下降位置Ｐdに位置するノズルストッカー８の操作部８４３に対しては、クラッチ部材７３１の係合爪７３１cは上側に外れて係合しない。
【００６１】
このようなノズル交換用収納機７では、上昇位置Ｐuにあるノズルストッカー８に対して、シャッター操作機構７３がクラッチ部材７３１を介して操作を行うことができる。つまり、シャッター操作機構７３がＸ軸シリンダー７３２を動作させて、シリンダーロッド７３２aを縮めると、ノズルストッカー８の操作部８４３が、クラッチ部材７３１によってＸ方向の他方側Ｘrへ引っ張られる。これによって、スライダー８４がＸ方向の他方側Ｘrへ移動して、ノズルストッカー８の各シャッター８２を挿脱禁止状態から挿脱許可状態へ一括して切り換える。また、シャッター操作機構７３がＸ軸シリンダー７３２を動作させて、シリンダーロッド７３２aを延ばすと、クラッチ部材７３１のＸ方向の一方側Ｘlへの移動に伴って、ばね等の弾性部材（図示省略）による付勢力によってスライダー８４がＸ方向の一方側Ｘlへ移動して、ノズルストッカー８の各シャッター８２を挿脱許可状態から挿脱禁止状態へ一括して切り換える。このようにクラッチ部材７３１は、上昇位置Ｐuにあるノズルストッカー８の各シャッター８２を一括して、挿脱許可状態と挿脱禁止状態との間で切り換えることができる。一方、下降位置Ｐdにあるノズルストッカー８の操作部８４３は、クラッチ部材７３１に係合しない。そのため、下降位置Ｐdにあるノズルストッカー８の各シャッター８２は、シャッター操作機構７３の操作によらず挿脱禁止状態に維持される。
【００６２】
つまり、ノズル交換用収納機７は、ストッカー昇降機構７１によってノズルストッカー８を単に昇降できるのみならず、ノズルストッカー８のシャッター８２とシャッター操作機構７３との間の動力伝達経路の形成および遮断を制御することができる。つまり、クラッチ部材７３１がノズルストッカー８側に寄っている状態において、ノズルストッカー昇降機構７１によりノズルストッカー８を上昇位置Ｐuに上昇させれば、ノズルストッカー８とシャッター操作機構７３との間の動力伝達経路を形成できる。また、ノズルストッカー昇降機構７１によりノズルストッカー８を下降位置Ｐdに下降させれば、ノズルストッカー８とシャッター操作機構７３との間の動力伝達経路を遮断できる。
【００６３】
さらに、ノズル交換用収納機７は、４個のノズルストッカー８の昇降状態を検出する昇降状態検出機構７６を有する。図１１は、昇降状態検出機構の一例を模式的に示す斜視図である。同図に示すように、昇降状態検出機構７６は、４枚の遮光板７６１と２組の光センサー７６２、７６３で構成される。４枚の遮光板７６１は４個のノズルストッカー８にそれぞれ対応してＹ方向に並べて設けられている。各遮光板７６１は、対応するノズルストッカー８に伴って昇降するため、下降位置Ｐdおよび上昇位置Ｐuのうち、同じ高さにあるノズルストッカー８の各遮光板７６１は互いに同じ高さに位置し、異なる高さにあるノズルストッカー８の各遮光板７６１は互いに異なる高さに位置する。
【００６４】
各遮光板７６１には、Ｚ方向に直線状に並ぶ３個の貫通孔７６１a、７６１b、７６１cがＹ方向に貫通している。各遮光板７６１において、最上部の貫通孔７６１aと中央部の貫通孔７６１bとの間には間隔ｃ1が設けられており、中央部の貫通孔７６１bと最下部の貫通孔７６１cとの間には、間隔ｃ1と異なる間隔ｃ2が設けられている。具体的には、間隔ｃ1は、ノズルストッカー８の下降位置Ｐdと上昇位置ＰuとのＺ方向への間隔に等しく、間隔ｃ2は、間隔ｃ1よりも短い（ｃ1＞ｃ2）。また、各遮光板７６１において、最下部の貫通孔７６１cと遮光板７６１の下端までのＺ方向への距離ｃ3は、ノズルストッカー８の下降位置Ｐdと上昇位置ＰuとのＺ方向への間隔ｃ1より長い（ｃ3＞ｃ1）。そして、図１３の破線で示すように、下降位置Ｐdおよび上昇位置Ｐuのうち、同じ高さにあるノズルストッカー８の各遮光板７６１の間では、最上部の貫通孔７６１aどうし、中央部の貫通孔７６１bどうし、最下部の貫通孔７６１cどうしがそれぞれＹ方向に直線状に並ぶ。
【００６５】
２組の光センサー７６２、７６３はいずれも、投光器Ｓaと受光器ＳbとをＹ方向に平行に並べた構成を具備し、投光器ＳaからＹ方向へ平行に射出した光を受光器Ｓbで受光する。光センサー７６２（上位センサー）は第１高さｈ1に配置されており、光センサー７６２の投光器Ｓaの発光箇所および受光器Ｓbの受光箇所はそれぞれ第１高さｈ1に位置する。また、光センサー７６３（下位センサー）は第１高さｈ1よりも距離（ｃ1＋ｃ2）だけ低い第２高さｈ2に配置されており（ｈ1−ｈ2＝ｃ1＋ｃ2）、光センサー７６３の投光器Ｓaの発光箇所および受光器Ｓbの受光箇所はそれぞれ第２高さｈ2に位置する。
【００６６】
ちなみに、図１１では、４個のノズルストッカー８がいずれも下降位置Ｐdにある場合における各遮光板７６１の位置が示されている。同図に示すように、下降位置Ｐdにあるノズルストッカー８に取り付けられた遮光板７６１では、最上部の貫通孔７６１aが第１高さｈ1に位置し、最下部の貫通孔７６１cが第２高さｈ2に位置する。一方、各遮光板７６１における最上部の貫通孔７６１aと中央部の貫通孔７６１bとの間隔ｃ1は、ｚ方向における下降位置Ｐdと上昇位置Ｐuとの間隔に等しく設定されているため、ノズルストッカー８が上昇位置Ｐuに上昇すると、当該ノズルストッカー８に取り付けられた遮光板７６１では、中央部の貫通孔７６１bが第１高さｈ1に上昇する。
【００６７】
このような昇降状態検出機構７６を用いることで、４個のノズルストッカー８の昇降状態を検出することができる。具体的には、図１２に示すように、４個のノズルストッカー８の全部が下降位置Ｐdにある全下降状態、少なくとも１個のノズルストッカー８が上昇位置Ｐuにある一部上昇状態、および少なくとも１個のノズルストッカー８が下降位置Ｐdと上昇位置Ｐuとの途中にある遷移状態のいずれかの状態が検出される。
【００６８】
図１２は、図１１の昇降状態検出機構の動作の一例を模式的示す動作説明図である。なお、図１２では、受光器Ｓbが光を受光した状態が「ＯＮ」と表され、受光器Ｓbが光を受光しない状態が「ＯＦＦ」と表されている。図１２の最上段の欄に示すように、４個のノズルストッカー８の全部が下降位置Ｐdにある場合には、各遮光部材の貫通孔７６１aが第１高さｈ1に揃うとともに、各遮光部材の貫通孔７６１cが第２高さｈ2に揃う。したがって、光センサー７６２では、投光器Ｓaから射出された光が各貫通孔７６１aを通過して受光器Ｓbに受光される。また、光センサー７６３では、投光器Ｓaから射出された光が各貫通孔７６１cを通過して受光器Ｓbに受光される。つまり、両方の光センサー７６２、７６３の受光器Ｓbが光を受光したことを確認することで、全下降状態を検出することができる。
【００６９】
図１２の中段の欄に示すように、４個のノズルストッカー８の一部が下降位置Ｐdと上昇位置Ｐuの途中位置にある場合、途中位置にあるノズルストッカー８に取り付けられた遮光板７６１（図１２では左から２番目の遮光板７６１）では、いずれの貫通孔７６１a、７６１b、７６１cも第１および第２高さｈ1、ｈ2の両方から外れる。この際、貫通孔７６１aと貫通孔７６１bとの間隔ｃ1が下降位置Ｐdと上昇位置Ｐuとの間隔に等しいため、遮光板７６１のうち貫通孔７６１a、７６１bの間の部分が第１高さｈ1に交差する。また、貫通孔７６１cと遮光板７６１の下端までの距離ｃ3が下降位置Ｐdと上昇位置Ｐuとの間隔より長いため、遮光板７６１のうち貫通孔７６１cより下側の部分が第２高さｈ2に交差する。したがって、両方の光センサー７６２、７６３において、投光器Ｓaから射出された光は、途中位置にあるノズルストッカー８に取り付けられた遮光板７６１によって遮られて、受光器Ｓbに到達しない。つまり、両方の光センサー７６２、７６３の受光器Ｓbが光を受光しないことを確認することで、遷移状態を検出することができる。
【００７０】
図１２の最下段の欄に示すように、４個のノズルストッカー８の一部が上昇位置Ｐuにある場合、上昇位置Ｐuにあるノズルストッカー８に取り付けられた遮光板７６１（図１４では左から２番目の遮光板７６１）では、貫通孔７６１bが第１高さｈ1に位置する一方、第２高さｈ2からはいずれの貫通孔７６１a、７６１b、７６１cも外れる。この際、貫通孔７６１cと遮光板７６１の下端までの距離ｃ3が下降位置Ｐdと上昇位置Ｐuとの間隔より長いため、遮光板７６１のうち貫通孔７６１cより下側の部分が第２高さｈ2に交差する。したがって、光センサー７６２では、投光器Ｓaから射出された光が各貫通孔７６１a、７６１bを通過して受光器Ｓbに受光される。一方、光センサー７６３では、投光器Ｓaから射出された光が、上昇位置Ｐuにあるノズルストッカー８に取り付けられた遮光板７６１によって遮られて、受光器Ｓbに到達しない。つまり、光センサー７６２の受光器Ｓbが光を受光する一方、光センサー７６３の受光器Ｓbが光を受光しないことを確認することで、一部上昇状態を検出することができる。
【００７１】
このような構成を具備するノズル交換用収納機７を用いた場合、光センサー７６２、７６３の受光部Ｓbの受光結果から、ノズルストッカー８の全下降状態、遷移状態、一部上昇状態を簡便に検知することができる。しかも、各状態を検知する昇降状態検出機構７６（検知部）を具備することで、光センサー７６２、７６３の検知結果からノズルストッカー８の昇降状態を把握しつつ、適切な制御を実行することができる。なお、光センサー７６２、７６３の検知結果に基づく具体的な制御については、後述する。
【００７２】
ところで、実装ヘッド５のノズル装着部５１に対して、このようなノズル交換用収納機７が具備するノズルストッカー８を用いてノズルＮの装着・収納・交換を実行するにあたっては、ノズル交換用収納機７やノズルストッカー８の位置を適切に把握することが求められる。そこで、ノズル交換用収納機７とノズルストッカー８には、それぞれの位置を示す全体マークＭ1あるいは個別マークＭ2が付されている。図４に示すように、全体マークＭ1は、接続フレーム７５、および支持フレーム７１０を介して基台７０に固定されるフレーム部材７３０のＹ方向側に上を向けて取り付けられており、ＸＹ面内におけるノズル交換用収納機７の位置を示す。個別マークＭ2は、４個のノズルストッカー８それぞれに２個ずつ設けられている。図５に示すように、個別マークＭ2は、ノズルストッカー８のＸ方向の両端それぞれに上を向けて取り付けられており、ＸＹ面内におけるノズルストッカー８の位置を示す。
【００７３】
以上がノズル交換用収納機７を具備する部品実装装置１の機械的構成の一例である。続いては、図１の部品実装装置１が備える電気的構成の一例について説明する。図１３は、図１の部品実装装置が備える電気的構成の一例を示すブロック図である。部品実装装置１は、制御ユニット１００によって装置１の各部の動作を制御する。この制御ユニット１００は、制御ユニット１００全体を統括的に制御する主制御部１１０、サーボモーターやシリンダーの駆動を制御する駆動制御部１２０、各カメラの撮像画像に画像処理を行う画像処理部１３０、入出力の制御を行う入出力制御部１４０および記憶部１５０を有する。主制御部１１０は、ＣＰＵ(Central Processing Unit)やメモリーで構成されたコンピューターであり、バス１０５によって、駆動制御部１２０、画像処理部１３０、入出力制御部１４０、記憶部１５０と相互に電気的に接続されている。
【００７４】
駆動制御部１２０は、Ｘ軸サーボモーター６３およびＹ軸サーボモーター６５を制御して、ＸＹ面内におけるヘッドユニット４の移動を制御するとともに、実装ヘッド５のノズルシャフト５０の昇降や回転も制御する。具体的には、ヘッドユニット４には、各実装ヘッド５のノズルシャフト５０をＺ方向に駆動するＺ軸サーボモーター５５や、各実装ヘッド５の８本のシャフト５０を中心軸Ｃ51とする周方向に駆動するＲ軸サーボモーター５７が搭載されている。そして、駆動制御部１２０は、Ｚ軸サーボモーター５５を制御してシャフト５０の昇降を制御したり、Ｒ軸サーボモーター５７を制御して８本のシャフト５０の回転を制御したりする。
【００７５】
さらに、駆動制御部１２０は、４個のノズルストッカーそれぞれに設けられたＺ軸シリンダー７１２を個別に制御して（すなわち、不図示の電動切替弁を制御することでＺ軸シリンダー７１２内のピストンを挟んだ２つの圧力室への空気圧の供給を制御して）、４個のノズルストッカーそれぞれの昇降を個別に制御する。また、駆動制御部１２０は、Ｘ軸シリンダー７３２を制御して（すなわち、不図示の電動切替弁を制御することでＺ軸シリンダー７１２内のピストンを挟んだ２つの圧力室への空気圧の供給を制御して）、上昇位置Ｐuにあるノズルストッカー８の各シャッター８２の回動を一括して制御する。
【００７６】
画像処理部１３０は、カメラ６８がヘッドユニット４のマーク部材４１を下方より撮像した画像からヘッドユニット４のＸＹ面内での基準位置を抽出する画像処理を行って、ヘッドユニット４の基準位置を示すヘッド基準位置情報を駆動制御部１２０に出力する。駆動制御部１２０は、このヘッド基準位置情報に基づいてＸ軸サーボモーター６３およびＹ軸サーボモーター６５のそれぞれ不図示のエンコーダの目標位置を補正することで、ヘッドユニット４のＸＹ面内での位置を適切に制御することができる。また、画像処理部１３０は、カメラ６８がノズルＮに吸着された部品を下方から撮像した画像から、ノズルＮに対する部品のずれを抽出する画像処理を行うとともに、カメラ４３がノズルＮに吸着された部品を側方から撮像した画像から、ノズルＮに吸着される部品の姿勢を抽出する画像処理を行って、部品のずれを示す部品ずれ情報と、部品の姿勢を示す部品姿勢情報を駆動制御部１２０に出力する。駆動制御部１２０は、この部品ずれ情報に基づきヘッドユニット４のＸ方向位置、Ｙ方向位置およびノズルシャフト５０の回転角度を調整し、さらに部品姿勢情報に基づいて実装ヘッド５のノズルシャフト５０の高さを調整して、適切な位置および方向で部品を基板に載置することができる。
【００７７】
さらに、画像処理部１３０は、ノズル交換用収納機７の位置を把握するための画像処理も担う。具体的には、ヘッドユニット４は、フィデューシャルマークを撮像するために下方を向いて取り付けられたカメラ４９（マーク撮像用カメラ）を有する。そして、カメラ４９がノズル交換用収納機７の全体マークＭ1を撮像した画像からノズル交換用収納機７のＸＹ面内での位置を抽出する画像処理や、カメラ４９がノズルストッカー８の個別マークＭ2を撮像した画像からノズルストッカー８のＸＹ面内での位置を抽出する画像処理を、画像処理部１３０は実行する。そして、後に説明するように、これら画像処理で求められたノズル交換用収納機７の位置を示す位置情報と、ノズル交換用収納機７の全体マークＭ1を基準とするノズルストッカー８の位置を示す位置情報とに基づいて、駆動制御部１２０がヘッドユニット４とノズルストッカー８とのＸＹ面内での位置合わせを実行する。
【００７８】
入出力制御部１４０は、光センサー７６２、光センサー７６３それぞれの受光器Ｓbの受光状態（すなわち、ＯＮ、ＯＦＦの状態）を光センサー７６２、７６３から受信して、主制御部１１０に転送する。主制御部１１０は、この受信結果に基づいて、ノズルストッカー８の昇降状態を判断することができる。この際、主制御部１１０は、全下降状態が確認できる間は、ヘッドユニット４のＸＹ面内での移動を許可する一方、全下降状態が確認できない間は、ヘッドユニット４のＸＹ面内での移動を規制して、上昇したノズルストッカー８（あるいは、これに収納されるノズルＮ）とヘッドユニット４に取り付けられたカメラ４３との間で干渉が生じないように制御する。また、部品実装装置１は、例えばディスプレイや報知ブザーなどのユーザーインターフェース６９を備えており、入出力制御部１４０は主制御部１１０の指令に基づいてユーザーインターフェース６９の出力内容を制御する。
【００７９】
記憶部１５０は、メモリーやハードディスク等で構成されており、部品実装装置１での動作を制御するために要する各種プログラムやデータを記憶する。具体例を挙げると、後述するノズルＮの装着・収納・交換を制御するために用いられるヘッドデータＤhや収納状況データＤnが記憶部１５０に記憶される。
【００８０】
以上が、部品実装装置１が具備する電気的構成の一例である。上述のようにノズル交換用収納機７を具備する部品実装装置１では、実装ヘッド５に対して、ノズル交換用収納機７を用いてノズルＮの装着・収納・交換を適宜実行できる。続いては、これらの内容の一例について説明する。図１４は、図１の部品実装装置で実行されるノズルの装着・収納・交換の一例を示すフローチャートである。図１４に示すフローチャートのプログラム（ノズル装着・収納・交換プログラム）は、記憶部１５０に記憶されて、主制御部１１０の制御によって実行される。
【００８１】
ステップＳ１００では、ヘッドデータＤhおよび収納状況データＤnが記憶部１５０から読み出される。ヘッドデータＤhは、３本の実装ヘッド５それぞれの各ノズル装着部５１のうち、ノズルＮの装着・収納・交換の実行対象となるノズル装着部５１と、当該ノズル装着部５１にへのノズルＮの種別情報を含む装着の状況、次に装着すべきノズルＮの種別情報等を内容とするデータである。また、収納状況データＤnは、ノズル交換用収納機７の各ノズル収納部８１へのノズルＮの収納状況を示すデータであり、各種ノズルＮが収納されているノズル収納部８１の場所や、ノズルＮが収納されていない空き状態にあるノズル収納部８１の場所等を示す。そして、主制御部１１０は、装着・収納・交換の実行対象となるノズル装着部５１と当該ノズル装着部５１への動作内容をヘッドデータＤhに基づいて設定した上で、当該動作内容を実行するために用いるノズル収納部８１を収納状況データＤnに基づいて設定する。
【００８２】
ステップＳ１１０では、主制御部１１０は駆動制御部１２０を介して、４個のノズルストッカー８それぞれのＺ軸シリンダー７１２に対して下降指令を出力して、全ノズルストッカー８を下降位置Ｐdに位置決めする。そして、ステップＳ１２０の「全下降状態確認」において、主制御部１１０は、４個のノズルストッカー８が全下降状態にあることを確認する。図１５は、図１４のフローチャートで実行されるサブルーチンである「全下降状態確認」の一例を示すフローチャートある。ステップＳ１２１では、上位センサー７６２および下位センサー７６３の両方の受光器Ｓbが受光している、すなわちＯＮ状態にあるか否かが確認される。そして、両方の受光器ＳbがＯＮ状態にあり、ノズルストッカー８の昇降状態が全下降状態にあることが確認されると（ステップＳ１２１で「ＹＥＳ」）、図１６のメインルーチンに戻る。一方、全下降状態が確認できない場合（ステップＳ１２１で「ＮＯ」の場合）には、ステップＳ１１０での下降指令にも拘わらず、少なくとも一部のノズルストッカー８が下降位置Ｐdに位置決めされておらず、何らかの異常が発生したと主制御部１１０は判断する。そして、ステップＳ１２２で異常が作業者に報知されて、ステップＳ１２３で部品実装装置１の動作が停止された後に、フローが終了する。なお、ステップＳ１２２での異常の報知は、ユーザーインターフェース６９を介して実行され、例えばディスプレイに所定の表示を行ったり、報知ブザーを鳴らしたりすることで実行される。これにより、作業者によるメンテナンスを促すことができる。
【００８３】
ステップＳ１２０で全下降状態が確認されると、ヘッドユニット４のＸＹ平面での移動が許可される。続く図１４のステップＳ１３０では全体マークＭ1の撮像が実行される。具体的には、主制御部１１０は、ヘッドユニット４をＸＹ面内で移動させて、カメラ４９を全体マークＭ1の上方に位置させた状態で、カメラ４９によりマークＭ1を撮像する。ステップＳ１４０では、全体マークＭ1の撮像画像に基づいて、各ノズルストッカー８に設けられた個別マークＭ2を撮像する際のカメラ４９の位置を補正して、カメラ４９により個別マークＭ2を撮像し、この個別マークＭ2の撮像結果から各ノズルストッカー８に設けられた個別マークＭ2の位置情報が補正される。つまり、記憶部１５０には、全体マークＭ1と各個別マークＭ2との相対的な位置関係が予め記憶されており、且つ、ヘッドユニット３に固定された各マーク部材４１を撮像して、部品実装装置１の不図示の基台に対してＸＹ方向に移動するヘッドユニット３の基準位置は位置認識されており、主制御部１１０は、マークＭ1の撮像画像から抽出したマークＭ1の基準位置に対する実際の位置と、全体マークＭ1に対する各個別マークＭ2の実際の位置との和から、各個別マークＭ2の基準位置に対する実際の位置が求められる。
【００８４】
ステップＳ１５０では、実行対象となるノズル装着部５１に対して、ノズルＮの装着／収納／交換のいずれの動作を実行するのかが確認される。そして、ノズルＮの装着を実行する場合には、ステップＳ１６０〜Ｓ２００が実行される。図１６は、図１４のステップＳ１６０〜Ｓ２００で実行される動作の一例を部分的に示す動作説明図である。図１６では、実装ヘッド５の全ノズル装着部５１にノズルＮが未装着であって、これらノズル装着部５１に対して、左端のノズルストッカー８がノズルＮの装着を実行する場合が例示されている。
【００８５】
先ず、ステップＳ１６０の「ヘッドユニット移動」では、ヘッドユニット４がＸＹ面内において移動されて、ヘッドユニット４とノズルストッカー８との位置合わせが実行される。すなわち、ステップＳ１４０で取得された各ノズルストッカー８に設けられた個別マークＭ2の位置情報に基づき、装着対象のノズルＮが収納されたノズルストッカー８のノズル収納部８１に、実装ヘッド５のノズルシャフト５０のノズルＮが未装着のノズル装着部５１を対向させるように、ヘッドユニット４のＸＹ面内での位置が調整される。
【００８６】
図１６の最上段の欄では、ヘッドユニット４の移動が完了した状態が示されている。ヘッドユニット４の移動は、全ノズルストッカー８が下降位置Ｐdにある全下降状態で実行される。そのため同欄に示すように、各ノズルストッカー８に収納されたノズルＮとヘッドユニット４に取り付けられたカメラ４３の下端との間にクリアランスΔｄが設けられた状態で、先のヘッドユニット４の移動（ステップＳ１６０）は実行される。こうして、ヘッドユニット４に伴って移動するカメラ４３と、各ノズルストッカー８に収納されるノズルＮとの干渉を防止しつつ、ヘッドユニット４の移動が実行されている。
【００８７】
ヘッドユニット４の移動が完了すると、図１４のステップＳ１７０では、主制御部１１０が駆動制御部１２０を介してノズル装着の実行主体となるノズルストッカー８（すなわち、実装ヘッド４が対向するノズルストッカー８）のＺ軸シリンダー７１２に対して上昇指令を出力して、当該ノズルストッカー８のみを上昇位置Ｐuに位置決めする。図１８の中央段の欄では、実装ヘッド５に対向するノズルストッカー８（同欄の左端のノズルストッカー８）の上昇が完了した状態が示されている。後述するように、ノズルストッカー８は、実装ヘッド５に近接する上昇位置Ｐuにおいて、対向する実装ヘッド５へのノズル装着を実行する。ちなみに、同欄に示すように、上昇位置Ｐuにあるノズルストッカー８に収納されるノズルＮの上部は、カメラ４３の下端より上側に突出する。ただし、これらノズルＮは、カメラ４３よりＹ方向に外れているため、カメラ４３と干渉することはない。一方、下降位置Ｐdにある各ノズルストッカー８に収納されるノズルＮは、カメラ４３の下方に位置しつつ、カメラ４３の下端との間にクリアランスΔｄを空けている。同欄から理解できるように、これらのノズルストッカー８を上昇位置Ｐuに位置決めすると、これらのノズルストッカー８に収納されるノズルＮとカメラ４３とが干渉を起こしてしまう。これに対して、実装ヘッド５が対向するノズルストッカー８のみを選択的に上昇位置Ｐuに位置させつつ、他のノズルストッカー８を下降位置Ｐdに位置させることで、かかる干渉の発生が防止されている。
【００８８】
図１４のステップＳ１８０の「一部上昇状態確認」では、主制御部１１０が、４個のノズルストッカー８が一部上昇状態にあることを確認する。図１７は、図１４のフローチャートで実行されるサブルーチンである「一部上昇状態確認」の一例を示すフローチャートである。ステップＳ１８１では、上位センサー７６２の受光器Ｓbが受光しており（すなわちＯＮ状態）、下位センサー７６３の受光器Ｓbが受光していない（すなわちＯＦＦ状態）にあるか否かが確認される。その結果、ノズルストッカー８の昇降状態が一部上昇状態にあることが確認されると（ステップＳ１８１で「ＹＥＳ」）、図１４のメインルーチンに戻る。一方、一部上昇状態が確認できない場合（ステップＳ１８１で「ＮＯ」の場合）には、ステップＳ１７０での上昇指令にも拘わらずノズルストッカー８が上昇位置Ｐuに位置決めされておらず、何らかの異常が発生したと主制御部１１０は判断する。そして、上述のステップＳ１２２、Ｓ１２３と同様にしてステップＳ１８２、１８３が実行されて、異常の報知、動作の停止およびフローの終了が順番に実行される。図２０のサブルーチンにおいても、主制御部１１０は、複数のノズルストッカー８に対して行った昇降制御の内容と、光センサー７６２、７６３の検知結果とが整合しない場合は、異常を報知する。つまり、かかる不整合が生じたということは、複数のノズルストッカー８に対して行った昇降制御が何らかの理由で適切に実行されなかったことを意味する。そこで、異常を報知して、例えば作業者によるメンテナンスを促すことが好適となる。
【００８９】
一部上昇状態が確認されると、図１４のステップＳ１９０の「ノズル装着」に進んで、実装ヘッド５に近接する上昇位置Ｐuにあるノズルストッカー８と実装ヘッド５が協同してノズル装着を実行する。図１８は、図１４のフローチャートで実行されるサブルーチンである「ノズル装着」の一例を示すフローチャートである。ステップＳ１９１では、主制御部１１０が駆動制御部１２０を介してＸ軸シリンダー７３２を動作させて、クラッチ部材７３１をＸ方向の他方側Ｘr（図１０参照）に移動させる。これによって、上昇位置Ｐuにあるノズルストッカー８の各シャッター８２が一括して挿脱禁止状態から挿脱許可状態に切り換わる（シャッター開）。ステップＳ１９２では、実装ヘッド５のノズルシャフト５０を下降させる。これによって、上昇位置Ｐuにあるノズルストッカー８のノズル収納部５８１のノズルＮに、ノズルシャフト５０のノズル装着部５１が下降して嵌合し、ノズル装着を実行する。こうしてノズル装着が完了すると、ステップＳ１９３でシャフト５０が上昇して、ノズル装着位置５１に装着されたノズルＮがノズル収納部８１から抜け出る。図１６の最下段の欄では、かかる状態が示されている。なお、図１６に例示するように実装ヘッド５の複数のノズルシャフト５０に対してノズル装着を実行する場合には、シャフト５０の下降および上昇（ステップＳ１９２、Ｓ１９３）を複数のシャフト５０で同時に行っても良いし、順番に行っても良い。ステップＳ１９４では、主制御部１１０が駆動制御部１２０を介してＸ軸シリンダー７３２を動作させて、クラッチ部材７３１をＸ方向の一方側Ｘlに移動させる。これによって、上昇位置Ｐuにあるノズルストッカー８の各シャッター８２が一括して挿脱許可状態から挿脱禁止状態切り換わる（シャッター閉）。
【００９０】
ちなみに、図１６の例では、ステップＳ１９０において、ロータリー式の実装ヘッド５の８個のノズル装着部５１の全部に対して、これらノズル装着部５１が設けられた８本のノズルシャフト５０を下降してノズル装着を実行していた。この場合、実装ヘッド５が具備する８個のノズル装着部に対して、ノズル装着を効率的に実行することができる。ただし、ステップＳ１９０において実装ヘッド５の８個のノズル装着部５１のうち一部のノズル装着部５１に対して、このノズル装着部５１が設けられたノズルシャフト５０のみを下降してノズル装着を行ってももちろん構わない。あるいは、３個の実装ヘッド５に対向して３個のノズル収納ユニット８１Ｕを対向させているため、ステップＳ１９０において、３個の実装ヘッド５の各ノズル装着部８１に対してノズル装着を実行することもできる。この場合、３個の実装ヘッド５の各ノズル装着部５１に対して、ノズル装着を効率的に実行することができる。ただし、１個あるいは２個の実装ヘッド５に対してのみノズル装着を行ってももちろん構わない。
【００９１】
続く図１４のステップＳ２００では、ノズル装着を終えたノズルストッカー８が下降位置Ｐdに下降されて、実装ヘッド５から下方へ離間する。こうして、ノズルストッカー８の昇降状態が一部上昇状態から全下降状態に切り換わって、ヘッドユニット４のＸＹ面内での移動が許可されて、以後に実行されるフローでヘッドユニット４をＸＹ面内で移動させることができる。そして、ステップＳ２１０では、ステップＳ１００で設定した装着／収納／交換が全て完了したか否かが確認される。完了したことが確認された場合（ステップＳ２１０で「ＹＥＳ」の場合）、図１４のフローを終える。一方、完了していないことが確認された場合（ステップＳ２１０で「ＮＯ」）の場合、ステップＳ１５０に戻る。以上が、ステップＳ１５０で「装着」と判断された場合の動作である。
【００９２】
一方、ステップＳ１５０において、実行対象となるノズル装着部５１に対して、ノズルＮの収納あるいは交換を行うと判断された場合には、ステップＳ２２０〜Ｓ２７０が実行される。ちなみに、ノズル収納は、ステップＳ２２０〜Ｓ２７０を実行して、ノズル装着部５１に装着されていたノズルＮをノズル収納部８１に収納することで実行される。一方、ノズル交換は、ステップＳ２２０〜Ｓ２７０を実行して、ノズル装着部５１に装着されていたノズルＮをノズル収納部８１に収納してノズル装着部８１から取り外した後に、先述のステップＳ１６０〜Ｓ２００を実行して当該ノズル装着部５１に新たなノズルＮを装着することで実行される。
【００９３】
先ず、ステップＳ２２０の「ヘッドユニット移動」では、ステップＳ１４０で取得された各ノズルストッカー８に設けられた個別マークＭ2の位置情報に基づき、収納が決められているノズルＮが空のノズルストッカー８の３個のノズル収納部８１に、ノズルＮの収納あるいは交換を行う実装ヘッド５の３本のノズルシャフト５０のノズルＮが装着されたノズル装着部５１をそれぞれ対向させるようにヘッドユニット４のＸＹ面内での位置が調整されつつ、ヘッドユニット４がＸＹ面内で移動される。また、ステップＳ２２０においても、全ノズルストッカー８が下降位置Ｐdにある全下降状態においてヘッドユニット４がＸＹ面内で移動されるため、ヘッドユニット４に伴って移動するカメラ４３と、ノズルストッカー８に収納されるノズルＮとの干渉が防止されている。
【００９４】
ヘッドユニット４の移動が完了すると、ステップＳ２３０では、主制御部１１０が駆動制御部１２０を介してノズル収納／交換の実行主体となるノズルストッカー８（すなわち、実装ヘッド４が対向するノズルストッカー８）のＺ軸シリンダー７１２に対して上昇指令を出力して、当該ノズルストッカー８のみを上昇位置Ｐuに位置決めする。この際、例えば上昇位置Ｐuのノズルストッカー８が具備する一部のノズル収納部８１にノズルＮが収納されている場合には、このノズルＮの上部は、カメラ４３の下端より上側に突出する。ただし、図１８を用いた上記説明と同様に、ステップＳ２３０においても、このノズルＮはカメラ４３よりＹ方向に外れているため、カメラ４３と干渉することはない。また、下降位置Ｐdにある各ノズルストッカー８に収納されているノズルＮは、カメラ４３の下方に位置しつつ、カメラ４３の下端との間にクリアランスΔｄを空けている。図１８を用いた上記説明と同様に、これらのノズルストッカー８を上昇位置Ｐuに位置決めすると、これらのノズルストッカー８に収納されるノズルＮとカメラ４３とが干渉を起こしてしまう。これに対して、ステップＳ２３０においても、実装ヘッド５が対向するノズルストッカー８のみを選択的に上昇位置Ｐuに位置させつつ、他のノズルストッカー８を下降位置Ｐdに位置させることで、かかる干渉の発生が防止されている。
【００９５】
ステップＳ２４０の「一部上昇状態確認」では、図１７に示したサブルーチンが実行されて、４個のノズルストッカー８の昇降状態が一部上昇状態にあるか否かが確認される。そして、ステップＳ２５０の「ノズル収納」では、上昇位置Ｐuにおいて実装ヘッド５に近接するノズルストッカー８と実装ヘッド５が協同して、実装ヘッド５のノズル装着部５１に装着されていたノズルＮをノズル収納部８１に収納する。図１９は、図１４のフローチャートで実行されるサブルーチンである「ノズル収納」の一例を示すフローチャートである。ステップＳ２５１では、上昇位置Ｐuにあるノズルストッカー８の各シャッター８２が一括して挿脱禁止状態から挿脱許可状態に切り換わる（シャッター開）。こうして、ノズル収納部５１へのノズルの挿脱が可能となった状態で、ステップＳ２５２では、収納あるいは交換を行うノズルＮが装着されたノズル装着部５１が設けられた実装ヘッド５のノズルシャフト５０が下降する。これによって、上昇位置Ｐuにあるノズルストッカー８が、下降してくるシノズルャフト５０のノズルＮをノズル収納部８１に受け入れて、ノズル収納を実行する。こうしてノズル収納が完了すると、ステップＳ２５３で、上昇位置Ｐuにあるノズルストッカー８の各シャッター８２が一括して挿脱許可状態から挿脱禁止状態へ切り換わって（シャッター閉）、ノズル収納部８１に収納されたノズルＮの取り出しが規制される。ステップＳ２５４では、実装ヘッド５の下降位置にあったノズルシャフト５０が上昇する。これによって、ノズル収納部８１からの取り出しが規制された状態でノズル収納部８１に収納されたノズルＮが、上昇するノズルシャフト５０から外れる。
【００９６】
ちなみに、ステップＳ２５０では、収納あるいは交換を行うノズルＮが装着されたノズル装着部５１が設けられたノズルシャフト５０が８本である場合、ロータリー式の実装ヘッド５の８個のノズルＮ全部に対してノズル収納を実行することができ、ノズル収納を効率的に実行することができる。ただし、ステップＳ２５０において実装ヘッド５の８個のノズル装着部５１のうち一部のノズル装着部５１のノズルＮについてノズル収納を行ってももちろん構わない。あるいは、ステップＳ２５０において、収納が決められているノズルＮが空のノズルストッカー８の３箇所のノズル収納部８１に対し、それぞれ対向する３個の実装ヘッド５の各ノズル装着部８１のノズルＮについてノズル収納を実行することもできる。この場合、実装ヘッド５の対象となる３箇所の各ノズル装着部５１が設けられた各ノズルシャフト５０を一緒に下降させる。ただし、１個あるいは２個の実装ヘッド５に対してのみノズル収納を行ってももちろん構わない。
【００９７】
続く図１４のステップ２６０では、ノズル収納を終えたノズルストッカー８が下降位置Ｐdに下降されて、実装ヘッド５から下方へ離間する。こうして、ノズルストッカー８の昇降状態が一部上昇状態から全下降状態に切り換わって、ヘッドユニット４のＸＹ面内での移動が許可されて、以後に実行されるフローでヘッドユニット４をＸＹ面内で移動させることができる。そして、ステップ２７０では、ステップＳ１５０で確認された実行内容がノズル収納とノズル交換のどちらであったかが確認される。実行内容がノズル収納であった場合には、ステップＳ２１０に進む一方、実行内容がノズル交換であった場合には、ステップＳ１６０に進んで、ステップＳ２５０でのノズル収納においてノズルＮが取り外されたノズル装着部５１に新たなノズルＮが装着されて、ノズル交換が実行される。
【００９８】
以上に説明したように、この実施形態では、８個のノズル収納部８１を円周状に配列して構成されるノズル収納ユニット８１Ｕが３個配列されて、ノズル収納ユニット８１Ｕ毎にシャッター８２（規制部材）が設けられている。つまり、３個のノズル収納ユニット８１Ｕに対応して３個のシャッター８２が設けられている。そして、３個のシャッター８２それぞれは、対応するノズル収納ユニット８１Ｕを構成する各ノズル収納部８１に対して、ノズルＮの挿脱を一括して規制する挿脱規制状態およびノズルＮの挿脱を一括して許可する挿脱許可状態のいずれかを選択的に取る。この際、この実施形態では、各シャッター８２を伴って移動することで、挿脱規制状態および挿脱許可状態のいずれかに各シャッター８１の状態を一括して切り換えるスライダー８４（切換部材）が具備されているため、シャッター操作機構７３のＸ軸シリンダー７３２（駆動機構）は、スライダー８４を移動させて３個のシャッター８２の状態を一括して切り換えることができる。したがって、３個のシャッター８２のそれぞれに個別にＸ軸シリンダー７３２を設ける必要がなく、ノズル収納部８１へのノズル挿脱を規制するシャッター８２を駆動する駆動機構の増大を抑えてコスト増大の抑制を図ることが可能となっている。
【００９９】
また、この実施形態では、シャッター８２は、対応するノズル収納ユニット８１Ｕにおける８個のノズル収納部８１の配列中心周りで、スライダー８４の移動に伴って回動することで、挿脱規制状態と挿脱許可状態との間で切り換わる。このような構成では、スライダー８４によって各シャッター８２を回動させるだけで、３個のシャッター８２の状態を一括して切り換えることができる。
【０１００】
また、この実施形態では、シャッター８２は、８個のノズル収納部８１に対応して設けられて配列中心周りに円周状に配列された８個の突起部８２２を有する。そして、これら突起部８２２それぞれは、シャッター８２の回動に伴って、対応するノズル収納部８１に対するノズルＮの挿脱経路に突出する挿脱規制位置Ｐrおよび挿脱経路から外れる挿脱許可位置Ｐeのいずれかに位置する。したがって、シャッター８２は、反時計回りＲb（一方側）に回動することで８個の突起部８２２を一括して挿脱規制位置Ｐeに位置決めする挿脱規制状態を取るとともに、時計回りＲf（他方側）に回動することで８個の突起部８２２を一括して挿脱許可位置Ｐeに位置決めする挿脱許可状態を取ることができる。このような構成では、スライダー８４によってシャッター８２を回動させて、シャッター８２に設けられた突起部８２２を変位させるだけで、３個のシャッター８２の状態を一括して切り換えることができる。
【０１０１】
また、この実施形態では、上昇位置Ｐuと下降位置Ｐdの間でノズルストッカー８を昇降させるストッカー昇降機構７１が設けられている。また、スライダー８４を操作するシャッター操作機構７３の具備するクラッチ部材７３１の機能によって、Ｘ軸シリンダー７３２からスライダー８４へ動力を伝達する動力伝達経路が、ノズルストッカー８の昇降に応じて接続／遮断される。つまり、上昇位置Ｐuにあるノズルストッカー８のスライダー８４とＸ軸シリンダー７３２の間には、動力伝達経路が形成される一方、下降位置Ｐdにあるノズルストッカー８とスライダー８４との間では、動力伝達経路が遮断される。このような構成では、ノズルストッカー８を昇降させることで、スライダー８４とＸ軸シリンダー７３２の間の動力伝達経路を接続／遮断することができる。したがって、シャッター８２の状態切換が必要なときに動力伝達経路を形成する一方、シャッター８２の状態切換が必要ないときには動力伝達経路を遮断して、シャッター８２の状態が誤って切り換えられることがないように、制御することができる。
【０１０２】
しかも、ノズルストッカー８が上昇位置Ｐuにあるときに動力伝達経路が形成される一方、ノズルストッカー８が下降位置Ｐdにあるときに動力伝達経路が遮断されるように構成されている。そのため、ノズル交換用収納機７が上側に位置する実装ヘッド５に対してノズルＮの装着／収納を実行するために、ノズルストッカー８を上昇位置Ｐuにまで上昇させた際には、動力伝達経路が形成されるため、シャッター８の状態を適宜切り換えることができる。一方、ノズルＮの装着／収納を実行しない間は、ノズルストッカー８を下降位置Ｐdに下降させておけば、動力伝達経路が遮断されるため、シャッター８２の状態が誤って切り換えられることがない。こうして、ノズルＮの装着／収納を実行するタイミングに応じて、動力伝達経路の形成／遮断を適切に制御することができるため、かかる構成は好適である。なお、ノズルストッカー８が上昇位置Ｐuにあるときは、ノズルストッカー８と実装ヘッド５との間が近いので、ノズルＮの収納動作、装着動作、および装着後の離脱動作を短い時間で行うことができ、ノズルＮの装着／収納を効率的に行うことができる。
【０１０３】
この際、スライダー８４は、各シャッター８２が挿脱規制状態となる方向へ付勢されている。このような構成では、動力伝達経路が遮断されている間は、シャッター８２が挿脱規制状態となるため、ノズル収納部８１へのノズル挿脱が規制される。したがって、動力伝達経路が遮断されているためにＸ軸シリンダー７３２からシャッター８２への動力伝達が効かない状況において、例えばノズル収納部８１に収納されていたノズルＮが誤って脱落するといったことが防止できる。
【０１０４】
また、この実施形態では、４個のノズルストッカー８のうちの一のノズルストッカー８を選択的に上昇位置Ｐuに上昇させている。このような構成では、４個のノズルストッカー８のうち、シャッター８２の状態切換が必要なノズルストッカー８のシャッター８２に対して選択的に動力伝達経路を形成することができる。
【０１０５】
また、この実施形態では、３個の実装ヘッド５が、ヘッドユニット４においてＸ方向（ヘッド配列方向）に配列ピッチＬh（ヘッド配列ピッチ）で直線状に配列されており、３個のノズル収納ユニット８１Ｕが、ノズルストッカー８においてヘッド配列方向Ｘと同じ方向にヘッド配列ピッチＬhと等しい配列ピッチで直線状に配列されている。さらに、ヘッド配列方向Ｘと同じ方向に隣接する異なるノズル収納ユニット８１Ｕにそれぞれ属してヘッド配列方向Ｘと同じ方向に直線状に並ぶ２個のノズル収納部８１の配列ピッチがヘッド配列ピッチＬhと等しくなっている。このような構成では、隣接する異なるノズル収納ユニット８１Ｕに属するノズル収納部８１が同時にノズル交換に供することができ、ノズル交換を効率的に行うことができる。
【０１０６】
また、この実施形態では、実装ヘッド５において８個のノズル装着部８１が配列される円周Ｏ51の直径Ｒoと、ノズル収納ユニット８１Ｕにおいて複数のノズル収納部８１が配列される円周Ｏ81の直径Ｒoとが等しい。さらに、実装ヘッド５において８個のノズル装着部８１が配列される周方向への配列ピッチＬoと、ノズル収納ユニット８１Ｕにおいて８個のノズル収納部８１が配列される周方向への配列ピッチＬoとが等しい。このような構成では、実装ヘッド５の８個のノズル装着部５１と、ノズル収納ユニット８１Ｕの８個のノズル収納部８１との間で、複数個のノズルＮを同時に装着／収納することができ、ノズル交換を効率的に行うことができる。
【０１０７】
なお、本発明は上記実施形態に限定されるものではなく、その趣旨を逸脱しない限りにおいて上述したものに対して種々の変更を加えることが可能である。例えば、上記実施形態では、４個のノズルストッカー８のうちの一のノズルストッカー８を選択的に上昇位置Ｐuに上昇させている。しかしながら、４個のノズルストッカー８を一括して上昇位置Ｐuに上昇させても良い。このような構成では、４個のノズルストッカー８を上昇位置Ｐuに上昇させることで、４個のノズルストッカー８それぞれのスライダー８４とＸ軸シリンダー７３２の間で動力伝達経路を形成することができ、シャッター８２の状態切換を４個のノズルストッカー４に対して一括して実行できる。
【０１０８】
また、上記実施形態では、カメラ４３がヘッド周辺部材として設けられた例について説明を行った。しかしながら、ヘッド周辺部材として、ノズルストッカー８やノズルＮとの干渉の防止を図る部材はこれに限られない。具体的には、マーク部材４１がノズルストッカー８のＹ方向側に設けられたような場合には、マーク部材４１をヘッド周辺部材として取り扱って、ノズルストッカー８やノズルＮとの干渉の防止を図るように構成しても良い。
【０１０９】
また、上記実施形態では、シャフト５０を下降させるとともにノズルストッカー８を上昇させて、ノズル収納部８１とノズル装着部５１とを近接させていた。しかしながら、シャフト５０を動かさずにノズルストッカー８を上昇させるのみで、ノズル収納部８１とノズル装着部５１とを近接させても構わない。
【０１１０】
さらに、ノズル交換用収納機７が具備するノズルストッカー８の個数、ノズルストッカー８が具備するノズル収納ユニット８１Ｕの個数、あるいはノズル収納ユニット８１Ｕを構成するノズル収納部８１の個数等を適宜変更することができる。同様に、ヘッドユニット４が具備する実装ヘッド５の個数や、実装ヘッド５が具備するノズル装着部５１の個数等も適宜変更することができる。
【０１１１】
また、ノズルストッカー８を昇降させる構成や、シャッター８２を切り換える構成についても、適宜変更することができる。
【０１１２】
また、上記実施形態では、回動式のシャッター８２を用いた場合が例示されていた。しかしながら、シャッター８２をＸ方向に直線的に動かして、ノズル収納部８１からのノズルＮの挿脱を規制／許可するように構成することもできる。
【０１１３】
また、上記実施形態では、板バネ５２の弾性力によってノズルＮをノズル装着部５１に保持していた。しかしながら、ノズル装着部５１にノズルＮを保持するための構成は、これに限られない。
【０１１４】
また、上記実施形態では、光センサー７６２、７６３によってノズルストッカー８の昇降状態を検出していた。しかしながら、光センサー７６２、７６３を設けずに、主制御部１１０が出力した昇降指令の履歴から、ノズルストッカー８の昇降状態を把握するように構成しても構わない。
【０１１５】
また、上記実施形態では、実装ヘッド５とノズルストッカー８の位置決めを、全体マークＭ1や個別マークＭ2を撮像した結果に基づいて制御していた。しかしながら、全体マークＭ1や個別マークＭ2を撮像することなく、予めティーチングした内容に従ってヘッドユニット４を動かして、実装ヘッド５とノズルストッカー８の位置決めを行っても良い。この場合には、全体マークＭ1や個別マークＭ2を設ける必要はなくなる。
【符号の説明】
【０１１６】
１…部品実装装置
２…搬送レーン（搬送部）
５…実装ヘッド
５１…ノズル装着部
７…ノズル交換用収納機
７１…ストッカー昇降機構（昇降機構）
７３１…クラッチ部材（クラッチ機構）
７３２…Ｘ軸シリンダー（駆動機構）
７６…昇降状態検出機構
８…ノズルストッカー
８０…ストッカー本体
８１…ノズル収納部
８１Ｕ…ノズル収納ユニット
８２…シャッター（規制部材）
８４…スライダー（切換部材）
Ｎ…ノズル
Ｐu…上昇位置
Ｐd…下降位置
Ｘ…基板搬送方向
Ｙ…配列方向
【要約】
複数のノズル収納部８１を円周状に配列したノズル収納ユニット８１Ｕを複数配列したノズル交換用収納機７において、ノズル収納部８１へのノズル挿脱を規制する規制部材８２を駆動する駆動機構７３２の増大を抑えてコスト増大の抑制を図る。
３個のノズル収納ユニット８１Ｕに対応して３個のシャッター８２が設けられている。各シャッター８２は、対応するノズル収納ユニット８１Ｕの各ノズル収納部８１に対して、ノズルＮの挿脱を一括して規制する挿脱規制状態および一括して許可する挿脱許可状態のいずれかを取る。各シャッター８２を伴って移動することで、挿脱規制状態および挿脱許可状態のいずれかに各シャッター８１の状態を一括して切り換えるスライダー８４が具備されており、シャッター操作機構７３のＸ軸シリンダー７３２は、スライダー８４を移動させて３個のシャッター８２の状態を一括して切り換えることができる。【図１】
0005676010.tif 000002
【図２】
0005676010.tif 000003
【図３】
0005676010.tif 000004
【図４】
0005676010.tif 000005
【図５】
0005676010.tif 000006
【図６】
0005676010.tif 000007
【図７】
0005676010.tif 000008
【図８】
0005676010.tif 000009
【図９】
0005676010.tif 000010
【図１０】
0005676010.tif 000011
【図１１】
0005676010.tif 000012
【図１２】
0005676010.tif 000013
【図１３】
0005676010.tif 000014
【図１４】
0005676010.tif 000015
【図１５】
0005676010.tif 000016
【図１６】
0005676010.tif 000017
【図１７】
0005676010.tif 000018
【図１８】
0005676010.tif 000019
【図１９】
0005676010.tif 000020